(57)【要約】【課題】本発明は上下段トレー４，４間の通気性に富み、包装鶏卵１２の新鮮さ及び新鮮保冷性に富む卵ケースを得ることを目的とする。【解決手段】縦方向に截頭４角錐形上向ポット６個、横方向に截頭４角錐形上向ポット５個並列してなるトレー４であって、隣接上向ポット１，１間の鞍部５に沿って力条６を突設してなり、横方向の両端の上記上向ポット１の横方向線ｃに接する両側錐面３’，３’が他の錐面３，３より横方向に緩で長く、上記両側錐面３’，３’の上端縁３”にそれぞれ横方向に突出する山形縁７を形成し、該山形縁７が上記下向ポット２の頂面８と同一水準に形成され、該山形縁７が縦方向にジグザグ縁９を形成し、かつ全体の縦横方向長が同一であって上記各上向ポット１の４個の錐面３にそれぞれ上下方向に長い楕円形通気孔１０を穿設してなる卵トレー。【選択図】  図１
2004284652.tif 000002
【特許請求の範囲】
【請求項１】
縦方向に截頭錐形上向ポットを偶数個、横方向に截頭錐形上向ポットを奇数個並列し、
縦横に隣接する複数個の上記上向ポットの錐面によって截頭錐形下向ポットを形成してなり、
上記上向及び下向ポットがそれぞれポットの中程水準上下に均等高さ及び深さ上下に突出してなるパルプモウルド抄製トレーであって、
隣接上向ポット間の鞍部に沿って力条を突設してなり、
横方向の両端の上記上向ポットの外側両側錐面が他の内側錐面より横方向に緩で長く、
上記両側錐面の上端縁にそれぞれ横方向に突出する山形縁を形成し、
該山形縁が上記下向ポットの頂面と同一水準に形成され、該山形縁が縦方向にジグザグ縁を形成し、
かつ全体の縦横方向長が同一であって上記各上向ポットの４方の錐面にそれぞれ上下方向に長い楕円形通気孔を穿設してなる卵トレー。
【請求項２】
上下段に縦横方向を互いに反対方向に積重ね、鶏卵を上記上向ポット内に収容し、これをシュリンク包装した請求項１記載の卵トレー。
【発明の詳細な説明】
【０００１】
【発明の属する技術分野】
本発明は縦横方向に鶏卵を収容する複数のポットを縦横に連設したパルプモウルド抄製トレーに関するものである。
【０００２】
【従来の技術】
従来、縦方向に６個、横方向に５個連設した卵収容ポットを有する正方形パルプモウルド抄製トレーが開発され、上下段に重ねて形成される空間に鶏卵を３０個宛収容する卵ケースが知られている（例えば特許文献１）。
【０００３】
しかし上記上下段の卵ケースは上下方向には密閉され、上下段の通風は皆無である（例えば特許文献１・・・図７）。
【０００４】
又卵収容ポットの内面と収容卵との接触面積が小さく、安定収容性に欠ける（例えば特許文献１・・・図７）。
【０００５】
さらに硬化合成樹脂製卵トレーが開発され台板下に上向截頭錐形ポットを縦に６個、横に５個設け、これらの錐面にそれぞれ上下方向に長い楕円形通気孔が穿設され、台板上に上端開口下向小ポットを上記上向截頭錐形ポット間に設けて正方形に形成した卵トレーが開発された（例えば特許文献２）。
【０００６】
しかし上向截頭錐形ポットの下端と下向小ポットの上端との横ずれを生じ収容卵群の上端部破損のおそれがあるため上向截頭錐形ポットの下端に雄小径突円を設け、これを下向小ポットの上端縁開口部に嵌合させて上下段卵トレーの横ずれを防止しなければならないという問題があった（例えば特許文献２）。
【０００７】
【特許文献１】
特開昭４７−２９０９３号公報
【特許文献２】
実公昭５７−２３３１５号公報（図１、図２、図７）
【０００８】
【発明が解決しようとする課題】
本発明は上下方向の通風による卵の新鮮性保冷性を保持し、収容卵と収容ポットの内面との安定接触〔００１４〕を計り、かつ軟らかいパルプモウルドトレーであるにも拘わらず強度を充分に保持して外部から卵を見通すことができ、強度充分で多量収容可能な軽量卵トレーを得ることを目的とする。
【０００９】
【課題を解決するための手段】
上記の目的を達成するため本発明は
第１に縦方向に截頭錐形上向ポットを偶数個、横方向に截頭錐形上向ポットを奇数個並列し、縦横に隣接する複数個の上記上向ポットの錐面によって截頭錐形下向ポットを形成してなり、上記上向及び下向ポットがそれぞれポットの中程水準上下に均等高さ及び深さ上下に突出してなるパルプモウルド抄製トレーであって、隣接上向ポット間の鞍部に沿って力条を突設してなり、横方向の両端の上記上向ポットの外側両側錐面が他の内側錐面より横方向に緩で長く、上記両側錐面の上端縁にそれぞれ横方向に突出する山形縁を形成し、該山形縁が上記下向ポットの頂面と同一水準に形成され、該山形縁が縦方向にジグザグ縁を形成し、かつ全体の縦横方向長が同一であって上記各上向ポットの４方の錐面にそれぞれ上下方向に長い楕円形通気孔を穿設してなる卵トレー、
第２に上下段に縦横方向を互いに反対方向に積重ね、鶏卵を上記上向ポット内に収容し、これをシュリンク包装した上記第１記載の卵トレー、
によって構成される。
【００１０】
【発明の実施の形態】
パルプモウルドを鋼網型で抄製、乾燥させて、縦方向に６個（偶数）、横方向に５個（奇数）合計３０個入りの鶏卵用トレー４を形成する。
【００１１】
上記卵トレー４は縦横に隣接する４個の截頭４角錐形上向ポット１，１，１，１の４個の内側錐面３，３，３，３及びそれらの裏面によって截頭４角錐形下向ポット２が形成される。
【００１２】
上記１個の上向ポット１は１個の鶏卵１２の下半分を収容する深さであり、かつ上記１個の下向ポット２は上記１個の鶏卵１２の上半分を収容する高さであり、上記上向及び下向ポット１，２がそれぞれ中程水準（又は中心水準）Ｌの上下に均等高さ及び深さに上下に突出し、図１に示す正方形トレー４を形成する。
【００１３】
４方（縦横方向端部では２方）に隣接する上向ポット１，１間の鞍部５に沿って力条６を突設し、
又横方向の両端の上記上向ポット１，１の横方向線ｃに接する両側錐面３’，３’が他の錐面３，３よりも横方向に緩やかで長い傾斜面を形成し（図１）、該両側錐面３’，３’の上端縁３”に各上向ポット１それぞれに横方向線ｃに対称な山形縁７を形成し、
上記山形縁７は上記下向ポット２の頂面８と同一水準高さに上記緩傾斜及び長さによって形成され、複数の山形縁７が縦方向にジグザグ縁９を形成する。従って既に説明したように全体の縦横方向長を同一とする正方形トレー４を形成することができる。
【００１４】
このように形成した上向ポット１の４個の錐面３，３，３，３および３，３，３’，３’にぞれぞれ上下方向に長い楕円形通気孔１０を穿設し、該通気孔１０の楕円形対向縁と鶏卵の外周面とが安定的に接触する。
【００１５】
上記トレー４，４を上下段に積重ねるに際し、下段トレー４の横方向に対し、上段トレー４の縦方向を符合させ、縦横方向を互いに反対方向に積重ねることによって図７にしめすように上向ポット１の底面１’が下向ポット２の頂面８に符合状態に載せられ、
下段の上向及び上段の下向ポット１，２の間に形成される空間ｓ内に鶏卵１２を収容することができ、上下段トレー４，４間に３０個（上下段ケース４，４に６０個）の鶏卵１２を収容し、最上段に透明プラスチック蓋ケース１４を配置し、全体をシュリンク包装１３（図７仮想線）して一体的に梱包搬送し外部から内部の鶏卵１２を見ることができる。
【００１６】
上記シュリンク包装１３の上下面に通気孔１３’を穿設することにより、外気と連通し、
かつ上記楕円形通気孔１０によって上下段の上記トレー４，４相互間の通風を計り鶏卵１２を新鮮かつ冷蔵保存することができる。
【００１７】
又上記トレー４は上向及び下向ポット１，２に上記通気孔１０をそれぞれ４個宛穿設したことによる全体強度の低下を鞍部５上に突設した力条６によって補強し、
上記下向ポット２の頂面８及び山形縁７の上面はほぼ平坦に形成され、図７に示すように上記頂面８上に上向ポット１の下面１”を支持し、上下段の上記トレー４，４の辺部では上記頂面８とジグザグ縁９によって上記頂面８を支持する。上記支持では上段卵トレー４の重量と接触面の摩擦抵抗による。
【００１８】
さらに上記ジグザグ縁９の外側に上記中程水準Ｌより高い台面１１（図１、図２参照）が形成されているため上記トレー４はさらに縦方向両縁がジグザグ縁９と共に補強される。
【００１９】
尚図７中１５は蓋ケース１４に穿設した通気孔、１３’はシュリンク包装１３に穿設した通気孔である。
【００２０】
【発明の効果】
本発明は上述のように構成したので鶏卵を上下段の上記ケースに多数収容し得るばかりでなく包装強度を充分保持し、
しかも上下段の上記ケース間の通気性を保持し得て新鮮及び保存保冷性に適し得る効果がある。
又シュリンク包装により外部から包装鶏卵を透視し得る利点がある。
【図面の簡単な説明】
【図１】本発明の卵ケースを示す平面図である。
【図２】図１の一部斜視図である。
【図３】図１の一部拡大平面図である。
【図４】図３Ａ−Ａ線による縦断正面図である。
【図５】図３Ｂ−Ｂ線による縦断正面図である。
【図６】図３Ｃ−Ｃ線による縦断面図である。
【図７】上下段積重卵ケースの縦断面図である。
【符号の説明】
１      截頭４角錐形上向ポット
２      截頭４角錐形下向ポット
３      錐面
３’    両側錐面
３”    上端縁
Ｌ      中程水準
４      トレー
５      鞍部
６      力条
ｃ      横方向線
７      山形縁
７’    上面外周縁
８      頂面
８’    外周縁
９      ジグザグ縁
１０      楕円形通気孔
１１      台面
１２      鶏卵
１３      シュリンク包装
【図１】
2004284652.tif 000003
【図２】
2004284652.tif 000004
【図３】
2004284652.tif 000005
【図４】
2004284652.tif 000006
【図５】
2004284652.tif 000007
【図６】
2004284652.tif 000008
【図７】
2004284652.tif 000009